(57)【要約】  モジュール式シェードは、ヘッドレールユニット、フットレールユニット、少なくとも１つの中間レールユニット、および複数のスラット構成要素で構成される少なくとも１つのモジュールを含む。上部スラットは、ヘッドレールユニットおよび中間レールユニットに結合されてもよく、下部スラット構成要素は、中間レールユニットおよびフットレールユニットに結合されてもよい。さらに、追加の中間レールユニットと中間スラット構成要素をモジュールに追加してモジュールの形状とサイズを変更し、モジュールを１つ以上の追加モジュールに結合してモジュール式シェードの全体的な形状とサイズを変更することができる。【選択図】図４
2020534454.tif 000002
【特許請求の範囲】
【請求項１】
複数のスラット構成要素、ここで複数のスラット構成要素の少なくとも２つのスラット構成要素は互いに結合され、そしてここで複数のスラット構成要素の各スラット構成要素は内部開口部を含み；
複数のスラット構成要素の各スラット構成要素の内部開口部内に配置された１つ以上のストリップ、ここで複数のスラット構成要素のうち、１つ以上のストリップを越えて延びる第１のスラット構成要素の余剰材料は、内側に折り込まれ、そして第１のスラット構成要素に結合されており、ここで複数のスラット構成要素の各々は、個別に取り外されて互いに取り付けられるように構成されている、を含むシェード。
【請求項２】
１つ以上のストリップのうちの２つのストリップが重なり合いそして互いに結合しており、そしてここで重なり合う２つのストリップは、シェードの全体の幅を変更するために調整可能であり、そして２つのストリップは第１のスラット構成要素の内部開口部に固定されている、請求項１に記載のシェード。
【請求項３】
少なくとも２つのスラット構成要素は、クリップ、ストリング、ボタン、磁石、面ファスナー、およびジッパーの１つまたは組み合わせを使用して互いに結合されている、請求項１に記載のシェード。
【請求項４】
第１のスラット構成要素は、異なるパターンである第１の層と第２の層を含む、請求項１に記載のシェード。
【請求項５】
第１のスラット構成要素内に配置された第１のストリップは、隣接するまたは異なるスラット構成要素内に配置された第２のストリップに結合されている、請求項１に記載のシェード。
【請求項６】
複数のスラット構成要素、ここで各スラット構成要素は、垂直に延びる２つの端部と、変更できない２つの端部間の幅を有し、ここで複数のスラット構成要素の少なくとも２つのスラット構成要素は互いに結合されており、そしてここで複数のスラット構成要素の各スラット構成要素は、２つの端部間に内部開口部を含み；
複数のスラット構成要素の各スラット構成要素の内部開口部内に配置された１つ以上のストリップ、ここで複数のスラット構成要素のうち、１つ以上のストリップを越えて延びる第１のスラット構成要素の余剰材料は、内側に折り込まれ、そして第１のスラット構成要素に結合され、ここで複数のスラット構成要素の各々は、個別に取り外され、そして互いに取り付けられるように構成されている、を含むシェード。
【請求項７】
１つ以上のストリップのうちの２つのストリップが重なり合いそして互いに結合しており、そしてここで重なり合う２つのストリップは、シェードの全体の長さを変更するために調整可能であり、２つのストリップは第１のスラット構成要素の内部開口部に固定されている、請求項６に記載のシェード。
【請求項８】
少なくとも２つのスラット構成要素は、クリップ、ストリング、ボタン、磁石、面ファスナー、およびジッパーの１つまたは組み合わせを使用して互いに結合されている、請求項６に記載のシェード。
【請求項９】
複数のスラット構成要素の各々は、バーであるヘッドレールユニットに結合されている、請求項６に記載のシェード。
【請求項１０】
第１のスラット構成要素内に配置された第１のストリップは、隣接するまたは異なるスラット構成要素内に配置された第２のストリップに結合されている、請求項６に記載のシェード。
【請求項１１】
シース；
シースの外部に結合された１つ以上のスラット構成要素、ここで１つ以上のスラット構成要素の各スラット構成要素は、内部開口部を含み；
１つ以上のスラット構成要素の各スラット構成要素の内部開口部内に配置された１つ以上のストリップ、ここで１つ以上のスラット構成要素のうちの第１のスラット構成要素の余剰材料は、内側に折り込まれ、そして第１のスラット構成要素の端部内に挿入されており、ここで１つ以上のスラット構成要素の各々は、１つ以上の固定機構を利用して個別に取り外されそしてシェードに取り付けられている、を含むシェード。
【請求項１２】
１つ以上のストリップのうちの２つのストリップが重なり合ってそして互いに結合しており、そしてここで重なり合う２つのストリップは、シェードの全体の幅を変更するために調整可能であり、そして２つのストリップは第１のスラット構成要素の内部開口部に固定されている、請求項１１に記載のシェード。
【請求項１３】
１つ以上のスラット構成要素は、ストリング、ボタン、磁石、面ファスナー、およびジッパーの一つを使用してシースに結合されている、請求項１３に記載のシェード。
【請求項１４】
シースを引き下げるとシェードが下がり、シースを押し上げるとシェードが上がる、請求項１１に記載のシェード。
【請求項１５】
第１のスラット構成要素は、１つ以上の内部留め金を含み、そして１つ以上の第１のストリップは、１つ以上の内部留め金に止まるように配置されている、請求項１４に記載のシェード。
【請求項１６】
水平ヘッドレールユニット；
ヘッドレールユニットに結合された水平上昇システム、ここで上昇システムはプルストリングを含み；
ヘッドレールユニットに結合された垂直シース、ここで垂直シースは、垂直シースの外部に配置された１つ以上の外部固定機構を含み；ならびに
垂直シースの少なくとも１つ以上の外部固定機構を利用して、垂直シースに結合された１つ以上のスラット構成要素、
ここでプルストリングはシェードの長さを伝わり、そしてここでプルストリングが引っ込むと、１つ以上のスラット構成要素が上昇するように、プルストリングは、プルストリングが特定のスラット構成要素に関連付けられたスロット開口部を通過するプルストリングに沿った位置に配置された結び目を含み、ならびに
ここで複数のスラット構成要素のスラット構成要素の各々は、少なくとも１つ以上の外部固定機構を利用して個別に取り外されそしてシェードに取り付けられている、
を含むシェード。
【請求項１７】
第１のスラット構成要素は、２つの層で作成された開口部を含み、そして第１のスラット構成要素の余剰材料は開口部内に挿入されて、第１のスラット構成要素の全幅が変更される、請求項１６に記載のシェード。
【請求項１８】
シェードが上昇するように構成されているとき、プルストリングは上昇システムの周りを巻き上がり、そしてここで１つ以上のスラット構成要素は、シェードが上げらえた位置にあるときに互いに隣接する複数のスラット構成要素を含む、請求項１６に記載のシェード。
【請求項１９】
第１のスラット構成要素は２つの層で作成された開口部を含み、そして１つ以上のインサートが開口部内に配置され、そしてここで１つ以上のインサートの長さおよび幅は調整可能である、請求項１６に記載のシェード。
【発明の詳細な説明】
【背景技術】
【０００１】
従来の垂直窓ブラインドは、スラットが窓の底まで下に伸びるよう、窓の上部に取り付けることができるヘッドレールから吊り下げられたルーバーに垂直スラットを有している。ただし、従来のブラインドのスラットが完全に開いた位置にある場合でも、観察者が窓の外を見るとスラットの端が見えるという点で、窓はある程度遮断されている。
【０００２】
いくつかの垂直ブラインドはまた、通常、標準の窓サイズに合わせて比較的少ない幅で製造される点で不利である。したがって、これらの標準に準拠していない窓には適していないことがある。
【発明の概要】
【０００３】
したがって本発明は、実質的にあらゆるサイズの窓に適合するように作製することができるように、モジュール構造である改良された垂直ブラインドアセンブリを提供することを目的とする。
【０００４】
一実施形態では、１つまたは複数のスラット構成要素は、互いに結合された複数の層を含むことができる。各スラット構成要素の外部は、スラット構成要素がシースの外部に結合され、および／または互いに結合され得るような機構を含み得る。加えて、１つまたは複数のストリップをスラット構成要素の内部に配置して、剛性を提供し、シース、したがってシェードの全体の幅または長さを変更することができる。例えば、２つのストリップをスラット構成要素内に配置し、ユーザーが選択した選択距離に重ねることができる。ストリップの全長を超えて伸びるスラット構成要素の余剰材料は、折り重ねられ、スラット構成要素の層の結合によって作成されたスラット構成要素の開口部に挿入され得る。有利には、シェードの全体の幅または長さは、ユーザーが望む幅または長さに変更することができる。加えて、シース、スラット構成要素、および／またはストリップは、隣接するシース、隣接するスラット構成要素、および／または隣接するストリップに結合されてもよい。シェードは、シースおよび／またはスラット構成要素をそれぞれ引っ張ったり押したりすることで、上下させることができる。
【０００５】
さらなる実施形態では、シェードは、１つ以上のリボンストリングを含むローラーに連結されるヘッドレールユニットを含み得る。加えて、１つ以上のシースがヘッドレールユニットに結合され、ここでシースは１つ以上の外部固定機構を含む。ローラーのリボンストリングは、単一のシースに配置された外部固定機構のスロット開口部を通して供給され、リボンストリングがシースの外部固定機構のスロット開口部を通過した後の位置で結ばれてもよい。さらに、１つ以上のスラット構成要素は、シースの外部固定機構と係合するスラット構成要素固定機構を利用して、シースの外部に結合され得る。シェードが上がると、リボンストリングがローラー上に転がってシースが上がり、順にスラット構成要素も上がることになる。
【０００６】
本発明の性質および目的のより完全な理解のために、添付の図面に関連して行われる以下の詳細な説明が参照されることになる。
【図面の簡単な説明】
【０００７】
【図１Ａ】図１Ａは本明細書に記載の１つ以上の実施形態のスラットの詳細図である。
【図１Ｂ】図１Ｂは本明細書に記載の１つ以上の実施形態のスラットの詳細図である。
【図１Ｃ】図１Ｃは本明細書に記載の１つ以上の実施形態のスラットの詳細図である。
【０００８】
【図１Ｄ】図１Ｄは、図１Ａ−１Ｃに関して説明した例示的なスラット構成要素を含むシェードの詳細図である。
【図１Ｅ】図１Ｅは、図１Ａ−１Ｃに関して説明した例示的なスラット構成要素を含むシェードの詳細図である。
【図１Ｆ】図１Ｆは、図１Ａ−１Ｃに関して説明した例示的なスラット構成要素を含むシェードの詳細図である。
【図１Ｇ】図１Ｇは、図１Ａ−１Ｃに関して説明した例示的なスラット構成要素を含むシェードの詳細図である。
【図１Ｈ】図１Ｈは、図１Ａ−１Ｃに関して説明した例示的なスラット構成要素を含むシェードの詳細図である。
【図１Ｉ】図１Ｉは、図１Ａ−１Ｃに関して説明した例示的なスラット構成要素を含むシェードの詳細図である。
【図１Ｊ】図１Ｊは、図１Ａ−１Ｃに関して説明した例示的なスラット構成要素を含むシェードの詳細図である。
【０００９】
【図１Ｋ】図ＩＫは、本明細書に記載の１つ以上の実施形態のスラットの詳細図である。
【００１０】
【図１Ｌ】図１Ｌは、図１Ｋに関して説明した例示的なスラット構成要素を含むシェードの詳細図である。
【００１１】
【図２Ａ】図２Ａは、本明細書に記載の１つ以上の実施形態のスラット構成要素の詳細図である。
【図２Ｂ】図２Ｂは、本明細書に記載の１つ以上の実施形態のスラット構成要素の詳細図である。
【図２Ｃ】図２Ｃは、本明細書に記載の１つ以上の実施形態のスラット構成要素の詳細図である。
【００１２】
【図２Ｄ】図２Ｄは、図２Ａ−２Ｃに関して説明した例示的なスラット構成要素を含むシェードの詳細図である。
【００１３】
【図２Ｅ】図２Ｅは、本明細書に記載の１つ以上の実施形態のスラット構成要素の詳細図である。
【００１４】
【図２Ｆ】図２Ｆは、図２Ａ−２Ｃおよび２Ｅに関して説明した例示的なスラット構成要素を含むシェードの詳細図である。
【図２Ｇ】図２Ｇは、図２Ａ−２Ｃおよび２Ｅに関して説明した例示的なスラット構成要素を含むシェードの詳細図である。
【図２Ｈ】図２Ｈは、図２Ａ−２Ｃおよび２Ｅに関して説明した例示的なスラット構成要素を含むシェードの詳細図である。
【図２Ｉ】図２Ｉは、図２Ａ−２Ｃおよび２Ｅに関して説明した例示的なスラット構成要素を含むシェードの詳細図である。
【図２Ｊ】図２Ｊは、図２Ａ−２Ｃおよび２Ｅに関して説明した例示的なスラット構成要素を含むシェードの詳細図である。
【図２Ｋ】図２Ｋは、図２Ａ−２Ｃおよび２Ｅに関して説明した例示的なスラット構成要素を含むシェードの詳細図である。
【００１５】
【図２Ｌ】図２Ｌは、本明細書に記載の１つ以上の実施形態のスラットの詳細図である。
【００１６】
【図２Ｍ】図２Ｍは、図２Ｌに関して説明した例示的なスラット構成要素を含むシェードの詳細図である。
【００１７】
【図３Ａ】図３Ａは、本明細書に記載の１つ以上の実施形態のスラット構成要素の詳細図である。
【図３Ｂ】図３Ｂは、本明細書に記載の１つ以上の実施形態のスラット構成要素の詳細図である。
【００１８】
【図３Ｃ】図３Ｃは、図３Ａおよび３Ｂに関して説明した例示的なスラット構成要素を含むシェードの詳細図である。
【００１９】
【図４】図４は、本明細書に記載の１つ以上の実施形態のための１つ以上の垂直シースおよび１つ以上のスラット構成要素を含むシェードの詳細図である。
【００２０】
【図５】図５は、本明細書に記載の１つ以上の実施形態のスラット構成要素の詳細図である。
【００２１】
【図６】図６は、本明細書に記載の１つ以上の実施形態のための１つ以上の垂直シースおよび１つ以上のスラット構成要素を含むシェードの詳細図である。
【図７】図７は、本明細書に記載の１つ以上の実施形態のための１つ以上の垂直シースおよび１つ以上のスラット構成要素を含むシェードの詳細図である。
【図８】図８は、本明細書に記載の１つ以上の実施形態のための１つ以上の垂直シースおよび１つ以上のスラット構成要素を含むシェードの詳細図である。
【図９】図９は、本明細書に記載の１つ以上の実施形態のための１つ以上の垂直シースおよび１つ以上のスラット構成要素を含むシェードの詳細図である。
【図１０】図１０は、本明細書に記載の１つ以上の実施形態のための１つ以上の垂直シースおよび１つ以上のスラット構成要素を含むシェードの詳細図である。
【発明を実施するための形態】
【００２２】
図１Ａは、本明細書に記載の１つ以上の実施形態のスラット構成要素の斜視図である。スラット構成要素３８００は、第１の層３８０１および第２の層３８０２を含み得る。第１の層３８０１および第２の層３８０２は、図１Ａに示すように、第１の層３８０１および第２の層３８０２があう上端および下端で互いに結合され得る。第１の層３８０１および第２の層３８０２は、限定するものではないが、ストリング、ボタン、磁石、ベルクロ（登録商標）などの面ファスナー、クリップなどの様々な異なる方法で互いに結合することができる。
【００２３】
第１の層３８０１および第２の層３８０２のそれぞれは、第１の層３８０１および第２の層３８０２のそれぞれの外側に位置する固定機構３８０３の第１の部分を含むことができる。固定機構３８０１の第１の部分は、任意のサイズであり得る。例えば、固定機構３８０１の第１の部分は、スラット構成要素３８００の全長またはスラット構成要素３８００のより短い長さにわたって延びていてもよい。固定機構の第１の部分は、第１の層３８０１と第２の層３８０２とで同じでも異なっていてもよい。
【００２４】
図１Ａでは、固定機構３８０３の第１の部分は、スラット構成要素３８００の層の上部に位置しており、しかしながら、固定機構３８０３の第１の部分は、層３８０１および３８０２の外部の任意の位置に配置され得ることが明確に企図される。加えて、図１Ａは、スラット構成要素の外部上の固定機構３８０３の単一の第１の部分を示しているが、スラット構成要素は、固定機構３８０３の複数の第１の部分を含むことができることが明確に企図されている。固定機構３８０３の第１の部分は、図１Ｃに関して以下でさらに詳細に説明されるように、固定機構の他または第２の部分を含む、シースの外部にスラット構成要素３８００を固定するために利用され得る。
【００２５】
加えて、以下でさらに詳細に説明するように、各層は、１つまたは複数のストリップ３８０５を層の内部に保持または固定するために利用される１つまたは複数の内部留め金３８０４を含むことができる。一実施形態では、１つ以上のストリップ３８０５は、湾曲していても、任意の形状であってもよい。加えて、１つ以上のストリップ３８０５は均一である必要はなく、１つ以上のストリップ３８０５の長さに沿っていくつかの位置でより広く、他の位置でより狭くてもよい。
【００２６】
図１Ｂは、第１の層３８０１の内部図であり、しかしながら第１の層３８０１の内部図の説明は、第２の層３８０２または任意の他の層に適用できることが明確に意図されている。図１Ｂに記載されるように、ストリップ３８０５を層３８０１の内部に固定する複数の内部留め金３８０４がある。
【００２７】
具体的には、ストリップ３８０５がスラット構成要素３８００の内部に留まるように、ストリップ３８０５は内部留め金３８０４に止まり得る。図１Ｂは、第１の層３８０１の上部および底部の３つの内部留め金３８０４内に挿入されている単一のストリップ３８０５を示しており、しかしながら第１の層３８０１全体の幅が変更され得るように、２つ以上のストリップ３８０５が重なり、一緒に結合され、任意の数の内部留め金３８０４に止まることが明確に企図されることに留意されたい。具体的には、２つ以上のストリップ３８０５は、限定するものではないが、ストリング、ボタン、磁石、ベルクロ（登録商標）などの面ファスナー、クリップなどのさまざまな方法で互いに固定することができる。例えば、層全体の幅は、例えば、任意の異なるサイズの窓に基づいて変更され得る。
【００２８】
加えて、第１の層３８０１の余剰材料３８０６は、限定するものではないが、ストリング、ボタン、磁石、ベルクロ（登録商標）などの面ファスナー、クリップなどの様々な異なる方法で第１の層３８０１の内側に折り重ねられて固定されてもよい。
【００２９】
図１Ｃは、本明細書に記載の１つ以上の実施形態のスラット構成要素の斜視図であり、ここで第１の層３８０１および第２の層３８０２の余剰材料３８０６がスラット構成要素３８００の内部に固定され、ストリップ３８０５が第１の層３８０１の内部に固定される。図１Ｂおよび１Ｃに見られるように、ストリップ３８０５の長さを超えて延びる余剰材料３８０６は、折り重ねられ、第１の層３８０１と第２の層３８０２の結合によって作られた開口部内に挿入される。一実施形態では、余剰材料３８０６は、次に、限定されるものではないがストリング、ボタン、磁石、ベルクロ（登録商標）などの面ファスナー、クリップなどの様々な固定機構のいずれかを使用してシース３８００の内部に固定され得る。有利には、スラット構成要素の全体の幅、したがってシェードを変更することができる。
【００３０】
第１の層３８０１および第２の層３８０２は、第１の層３８０１および／または第２の層３８０２の外部に結合される１つ以上の追加の層３８０７を含むことができる。追加の層３８０７は、スラット構成要素３８００に剛性または異なる外観を追加する、限定されるものではないがビニールまたは他の任意の材料などの任意の材料であり得る。１つまたは複数の追加の層３８０７は任意のサイズとすることができ、第１の層３８０１または第２の層３８０２のサイズと一致する必要はないことに留意されたい。追加の層３８０７は、限定するものではないが、ストリング、ボタン、磁石、ベルクロ（登録商標）などの面ファスナー、クリップなどの様々な固定機構のいずれかを使用して、第１の層３８０１および／または第２の層３８０２に取り付けることができる。
【００３１】
図１Ｄは、図１Ａ−１Ｃに示されるスラット構成要素３８００を含むシェード３８１８の詳細図である。それぞれ少なくとも第１の層３８０１および第２の層３８０２を含むスラット構成要素３８００は、シース３８０９に固定されている。具体的には、第１の層３８０１の外部上の固定機構３８０３の第１の部分は、スラット構成要素３８００がシース３８０９の外部に固定されるように、シース３８０９の外部に取り付けられた固定機構３８１７の第２の部分と係合する。例えば、第１および第２の部分の係合（例えば、「ジッピング」）によりスラット構成要素３８００がシース３８０９に固定または取り付けられるように、固定機構３８０３の第１の部分はジッパー機構の第１の部分であり得、固定機構３８１７の第２の部分はジッパー機構の第２の部分であり得る。したがって、シース３８０９は、スラット構成要素３８００上の少なくとも１つの点に接続する。
【００３２】
さらに、ヘッドレールユニット３８１０をシェード３８１８の上部に配置してもよい。ヘッドレールユニット３８１０はシースに結合されてもよく、スラット構成要素３８００はヘッドレールユニット３８１０の外部に取り付けられてもよい。例えば、スラット構成要素３８００は、限定されるものではないが、ストリング、ボタン、磁石、ベルクロ（登録商標）などの面ファスナー、クリップなどの様々な固定機構のいずれかを使用してヘッドレールユニット３８１０に固定することができる。加えて、ヘッドレールユニット３８１０は、以下により詳細に説明されるように、シェードを上下させるために利用されるローラースプリングシステム、カウンターバランスシステム、コードシステム、またはモーターに連結されてもよい。
【００３３】
さらに図１Ｄは、利用されている複数のスラット構成要素３８００を示しているが、単一のスラット構成要素３８００を利用できることが明確に企図されている。例えば、単一のスラット構成要素３８００がシース３８０９全体またはシース３８０９の一部を覆うように、単一のスラット構成要素３８００は、シース３８０９の１つまたは複数の異なる位置（例えば、固定機構３８１７の第２の部分のそれぞれが位置する場所）またはヘッドレールユニット３８１０でシース３８０９の上部に固定されることができる。単一のスラット構成要素３８００は、上述の方法でシース３８０９および／またはヘッドレールユニット３８１０に結合されてもよい。
【００３４】
加えて、スラット構成要素３８００は、シース３８０９（例えば、「ジッパーが外された」）および／またはヘッドレールユニット３８１０から外され得、そしてスラット構成要素３８００は、第２の層３８０２が上記と同様の方法でシース３８０９および／またはヘッドレールユニット３８１０に取り付けられるように反転され得ることが明確に企図される。そのため、第１の層３８０１および第２の層３８０２は異なるパターンまたは材料であってもよく、したがって、スラット構成要素３８００を単に逆にすることによってシェード３８１８の外観を変更または変化する能力をユーザーに提供する。
【００３５】
具体的には、図１Ｄは、第２の層が例えば屋内にいるユーザーの視界に入るように、窓開口部（Ｗ）から外側に面する第２の層３８０２を示す。ユーザーが第１の層３８０１を視野に入れたい場合、ユーザーはシース３８０９と第１の層３８０１との間の固定機構を単に解除し、次にシース３８０９と第２の層３０８２との間の固定機構に係合することになる。したがって、第２の層３８０２は隠され、第１の層３８０１は、例えば屋内にいるユーザーの視界に入ることになる。
【００３６】
ジッパー機構の利用が参照されるが、限定されるものではないが、ストリング、ボタン、磁石、ベルクロ（登録商標）などの面ファスナー、クリップなどのさまざまな固定機構のいずれかを利用できることが明確に企図される。有利なことに、層３８０１および３８０２を洗浄または交換する必要がある場合、ユーザーは、スラット構成要素３８００をシース３８０９から単に外して、スラット構成要素３８０８を洗濯機に入れることができ、またはスラット構成要素３８００を任意の方法で洗浄することができる。
【００３７】
加えて、シース３８０９は、シース３８０９を横切って水平に伝ってシースに剛性を提供する１つ以上のロッド３８１１を含むことができる。１つ以上のロッド３８１１は、これに限定されないが、ストリング、ボタン、磁石、ベルクロ（登録商標）などの面ファスナー、クリップなどの様々な異なる方法でシース３８０９に固定されてもよい。図１Ｄは、シース３８０９を横切って伝う単一のロッド３８１１を示しているが、２つ以上のロッド３８１１が一緒に結合され、シース３８０９に固定され得ることが明確に企図される。
【００３８】
さらに、シース３８０９は、ユーザーが幅および／または長さを増加させることができる追加のシース３８０９（図示せず）に結合されてもよい。例えば、図１Ｄを参照すると、シース３８０９が追加のシースに連結されて全長を調整できるように、シース３８０９の底部にジッパーを含めることができる。それに加えて、またはその代わりに、シース３８０９を追加のシースに結合して全体の幅を調整できるように、シース３８０９の左側および／または右側にジッパーを含めることができる。
【００３９】
一実施形態では、ローラースプリングシステムが、当業者に知られているように、シース３８０９および／またはスラット構成要素３８００をユーザーが引くまたは押すことに基づいて、シース３８０９を上下させることができるように、シース３８０９は、ヘッドレールユニット３８１０に接続されたローラースプリングシステム（図１Ｆに見られるように）によって制御されてもよい。具体的には、ユーザーは、シース３８０９および／またはスラット構成要素３８００を押し上げてシェード３８１８を上げ、シース３８０９および／またはスラット構成要素を引き下げてシェード３８１８を下げることができる。あるいは、シース３８０９は、ユーザーがシース３８０９および／またはスラット構成要素３８００を押し上げまたは引き下げてシェード３８１８を上下させることを可能にする、カウンターバランスシステムおよび／または異なるタイプのシステムによって制御されてもよい。あるいは、シース３８０９は、シェードを上げ下げするために、上述のコードシステムまたは電気モーター、または当業者に知られている他のタイプのシステムによって制御されてもよい。
【００４０】
例えば、図１Ｅは、スラット構成要素３８００がシェード３８１８の上部で「折り畳まれ」または「纏められ」て、窓開口部が露出している、上げられた構成のシェード３８１８を示す。図１Ｅに示されるように、最も上のスラット構成要素３８００は、ヘッドレールユニット３８１０に結合されてもよく、他のスラット構成要素３８００は、シースに結合されてもよい。
【００４１】
図１Ｆは、シェードが上げられた構成にあり、スラット構成要素が折り畳まれているときのシェード３８１８の側面図を示す。図１Ｆに示すように、シェード３８１８が上げられた構成にあるとき、シース３８０９も折り畳まれる。加えて、ローラースプリングシステム３８１９は、ローラースプリングシステム３８１９が視界から隠されるように、ヘッドレールユニット３８１０に結合される。
【００４２】
さらに図１Ｇは、スラット構成要素３８００が折り畳まれていない、下げられた構成のシェード３８１８を示す。また図１Ｈは、下げられた構成のシェード３８１８の背面図を示しており、スラット構成要素３８００は「折り畳まれて」おらず、窓開口部全体を覆ってもよい。図１Ｈに示されるように、スラット構成要素３８００は、シース３８０９および／またはヘッドレールユニット３８１０よりも広くてもよい。
【００４３】
一実施形態では、シース３８０９は、図１Ｉに示されるように、隣接するシース３８１２に結合されてもよい。図１Ｉに示されるように、ロッド３８１１は、シース３８０９の一端を越えて延び、隣接するシース３８１２の一端を越えて延びる隣接するロッド３８１３に連結されている。例えば、ロッド３８１１は、ストリング、ボタン、磁石、ベルクロ（登録商標）などの面ファスナー、クリップなどを利用して、隣接するロッド３８１３に連結され得る。そのため、シェード全体の前面が表示されるか、単一のシェードのように見え得る。
【００４４】
それに加えて、またはその代わりに、スラット構成要素３８００は、図１Ｉに示されるように互いに結合されてもよい。具体的には、シース３８０９に連結されるスラット構成要素３８００の端部は、隣接するシース３８１２のスラット構成要素３８００に連結されてもよい。例えば、シース３８０９のスラット構成要素３８００は、ストリング、ボタン、磁石、ベルクロ（登録商標）などの面ファスナー、クリップなどを利用して、隣接するシース３８１２のスラット構成要素３８００に結合され得る。そのため、シェード全体の前面が表示されるか、単一のシェードのように見え得る。
【００４５】
一実施形態では、図１Ｊに示されるように、シース３８０９のスラット構成要素３８００内のストリップ３８０５は、ストリング、ボタン、磁石、ベルクロ（登録商標）などの面ファスナー、クリップなどを利用して、隣接するシース３８１２のスラット構成要素３８００内のストリップ３８０５に結合され得る。そのため、シェード全体の前面が表示されるか、単一のシェードのように見え得る。
【００４６】
一実施形態では、図１Ｋに示されるように、スラット構成要素３８００の固定機構３８０３の第１の部分は、第１の層３８０１および３８０２の結合によって作成された開口部に平行な位置に配置されてもよい。スラット構成要素３８００は、シースおよび／またはヘッドレールユニット３８０１に結合されてもよく、余剰材料３８０６は、上記と同様の方法でスラット構成要素３８００の内部に固定されてもよい。しかしながら、余剰材料は、図１Ａに示すように、スラット構成要素３８００がシース３８０９および／またはヘッドレールユニット３８１０に取り付けられたとき、垂直ではなく水平に延びていることから、シェード３８１８の全長は、余剰材料を利用して調整することができる。
【００４７】
具体的には、図１Ｌに示されるように、図１Ｋに示すような複数のスラット構成要素３８００はシース３８０９に結合され、ここでシェード３８１８の幅は、図１Ｋに示すように、個々のスラット構成要素３８００のそれぞれの幅およびシース３８０９および／またはヘッドレールユニット３８１０に取り付けられたスラット構成要素３８００の数に基づいている。シェード３８１８の長さは、余剰材料３８０６と、一緒に結合されたスラット構成要素３８００の２つの層３８０１および３８０２によって作られた開口部にユーザーが挿入することを決定した余剰材料３８０６がいかほどかに基づく。図１Ｌに示されるように、各スラット構成要素３８００は、ユーザーの選択に基づいて同じ長さでも異なる長さでもよい。例えば、ユーザーは、シェード３８１８が窓内のエアコンまたは他の物体を囲むように、特定のスラット構成要素３８００の長さを変更してもよい。あるいは、シェードが壁に取り付けられたまたは壁に置かれた本棚の本または他のアイテムを囲むように、シェード３８１８を壁に連結してもよく、そしてユーザーが特定のスラット構成要素３８００の長さを変更してもよい。
【００４８】
さらに、図１Ｌは単一のシース３８０９を示しているが、複数のシース３８０９（図示せず）を利用できることが明確に企図されている。例えば、上述のように、各スラット構成要素３８００は異なるシース３８０９に取り付けられ、複数の異なるシース３８０９は一緒に結合され、共通のヘッドレールユニット３８１０に取り付けられてもよい。
【００４９】
図２Ａは、本明細書に記載の１つ以上の実施形態のスラット構成要素の斜視図である。スラット構成要素３９００は、第１の層３９０１および第２の層３９０２を含み得る。第１の層３９０１および第２の層３９０２は、図２Ａに示されるように、第１の層３９０１および第２の層３９０２が会う上端および下端で互いに結合されてもよい。第１の層３９０１および第２の層３９０２は、限定されるものではないが、ストリング、ジッパー、ボタン、磁石、ベルクロ（登録商標）などの面ファスナー、クリップなどの１つ以上または組み合わせの利用などの様々な異なる方法で互いに結合されてもよい。
【００５０】
複数のスラット構成要素３９００のそれぞれは、各スラット構成要素３９００の底部および上端部に沿ってのびる複数の貫通穴３９５０を利用して互いに結合されてもよい。例えば、第１の層３９０１、第２の層３９０２、または第１の層３９０１および第２の層３９５０は、貫通穴３９５０を含むことができる。貫通穴３９５０は、スラット構成要素の端部全体に沿って延びるか、または端部の選択された部分のみに延びることができる。具体的には、２Ｄ、２Ｆ、および２Ｇに示されるように、スラット構成要素３９００のそれぞれの貫通穴を通してストリング３９５１を送り、スラット構成要素を一緒に結合することができる。貫通穴３９５０とストリング３９５１の使用が参照されているが、スラット構成要素３９００を一緒に結合するために、様々な異なる固定機構のいずれかが利用され得ることが明確に企図される。例えば、そのような固定機構には、ジッパー、ボタン、磁石、ベルクロ（登録商標）などの面ファスナー、クリップなどの１つ以上または組み合わせが含まれるが、これらに限定されない。
【００５１】
さらに、以下でさらに詳細に説明するように、各層は、１つまたは複数のストリップ３９０５を層の内部に保持または固定するために利用される１つまたは複数の内部留め金３９０４を含むことができる。一実施形態において、１つ以上のストリップ３９０５は、湾曲していても、任意の形状であってもよい。さらに、１つまたは複数のストリップ３９０５は均一である必要はなく、１つまたは複数のストリップ３９０５の長さに沿っていくつかの位置で広く、他の位置で狭くてもよい。
【００５２】
図２Ｂは、第１の層３９０１の内部図であり、しかしながら第１の層３９０１の内部図の説明は、第２の層３９０２または他の層に適用できることが明確に企図される。図２Ｂに示されるように、複数の貫通穴３９５０は、第１の層３９０１の上部および底部に沿って延びる。
【００５３】
さらに、ストリップ３９０５を層３９０１の内部に固定する複数の内部留め金３９０４がある。具体的には、ストリップ３９０５がスラット構成要素３９００の内部に残るように、ストリップ３９０５は内部留め金３９０４に止まり得る。図２Ｂは、第１の層３９０１の上部および底部の３つの内部留め金３９０４内に挿入されている単一のストリップ３９０５を示しているが、第１の層３９０１全体の幅が変更され得るように、２つ以上のストリップ３９０５が重なり合って互いに結合され、任意の数の内部留め金３９０４に止まり得ることが明確に企図される。具体的には、２つ以上のストリップ３９０５は、限定されるものではないが、ストリング、ジッパー、ボタン、磁石、ベルクロ（登録商標）などの面ファスナー、クリップなどの１つ以上またはそれらの組み合わせを利用するなど、様々な異なる方法で互いに固定することができる。例えば、層全体の幅は、例えば、任意の異なるサイズの窓に基づいて変更できる。図２Ｂは留め金３９０４の利用を示しているが、留め金３９０４を使用せずに、ストリップ３９０５をスラット構成要素３９００に固定できることが明確に企図されている。
【００５４】
例えば、単一のストリップ３９０５が、留め具３９０４を使用せずにスラット構成要素３９００の内部に挿入および固定できるように、単一のストリップ３９０５はスラット構成要素３９００の高さと実質的に同様の高さを有してもよい。すなわち、単一のストリップ３９０５はスラット構成要素３９００と高さが実質的に類似しているため、単一のストリップ３９０５は、スラット構成要素３９００の内部開口部内にしっかりと適合し、スラット構成要素３９００に剛性を与えることができる。単一のストリップ３９０５の全幅は、例えば、単一のストリップ３９０５がスラット構成要素３９００の中間部分のみにあるように、スラット構成要素３９００の全体の幅より小さくてもよい。あるいは、単一のストリップ３９０５の全体の幅は、スラット構成要素３９００の幅とサイズが実質的に類似していてもよい。
【００５５】
加えて、第１の層３９０１の余剰材料３９０６は、限定されるものではないが、ストリング、ジッパー、ボタン、磁石、ベルクロ（登録商標）などの面ファスナー、クリップなどの１つ以上または組み合わせの利用などの様々な異なる方法で第１の層３９０１の内部に折り重ねられ、固定されてもよい。
【００５６】
図２Ｃは、本明細書に記載の１つ以上の実施形態のスラット構成要素の斜視図であり、ここで第１の層３９０１および第２の層３９０２の余剰材料３９０６はスラット構成要素３９００の内部に固定され、ストリップ３９０５は第１の層３９０１の内部に固定される。図２Ｂおよび２Ｃに見られるように、ストリップ３９０５の長さを超えて延びる余剰材料３９０６は、折り重ねられ、第１の層３９０１と第２の層３９０２の結合によって作られた開口部内に挿入される。一実施形態では、次いで、余剰材料３９０６は、限定されるものではないが、ストリング、ジッパー、ボタン、磁石、ベルクロ（登録商標）などの面ファスナー、クリップなどの１つ以上または組み合わせなどの様々な固定機構のいずれかを使用してスラット構成要素３９００の内部に固定され得る。有利には、スラット構成要素３９００の全体の幅、したがってシェードを変更することができる。
【００５７】
第１の層３９０１および第２の層３９０２は、第１の層３９０１および／または第２の層３９０２の外部に結合される１つ以上の追加の層３９０７を含み得る。追加の層３９０７は、スラット構成要素３９００に剛性または異なる外観を追加するために、ビニールまたは他の任意の材料などであるがこれらに限定されない任意の材料であり得る。１つまたは複数の追加の層３９０７は任意のサイズとすることができ、第１の層３９０１または第２の層３９０２のサイズと一致する必要がないことに留意されたい。追加の層３９０７は、限定されるものではないが、ストリング、ジッパー、ボタン、磁石、ベルクロ（登録商標）などの面ファスナー、クリップなどの１つ以上または組合せなどの様々な固定機構のいずれかを使用して、第１の層３９０１および／または第２の層３９０２に取り付けられ得る。
【００５８】
図２Ｄは、図２Ａ−２Ｃに示されるスラット構成要素３９００を含むシェード３９１８の詳細図である。それぞれ少なくとも第１の層３９０１および第２の層３９０２を含むスラット構成要素３９００は、シェード３９１８を構成するために貫通穴３９５０およびストリング３９５０を利用して互いに固定される。具体的には、ユーザーは、複数のスラット構成要素３９００を任意のユーザー所望の構成に結合することができる。さらに、最上部のスラット構成要素３９００は、限定されるものではないが、ストリング、ジッパー、ボタン、磁石、ベルクロ（登録商標）などの面ファスナー、クリップなどの１つ以上または組み合わせなどの固定機構を利用してヘッドレールユニット３９１０に取り付けられる。
【００５９】
図２Ｄは、見える固定機構（例えば、貫通穴３９５０およびストリング３９５０）を示しているが、固定機構が視界から隠され得ることが明確に企図されている。具体的には、上部スラット構成要素の第２の層３９０２は、固定機構が隠されるように、下部スラット構成要素の第１の層３９０１に結合されてもよい。例えば、固定機構がジッパーである場合、ジッパーの第１の部分は、窓に面している上部スラット構成要素の第２の層３９０２の下部外側部分に位置してもよい。加えて、ジッパーの第２の部分は、窓に面していない底部スラット構成要素の第１の層３９０２の上部外側部分に位置してもよい。したがって、上部スラット構成要素と下部スラット構成要素が相互に結合されると、ジッパーの２つの部分は視界から隠れる。
【００６０】
あるいは、２つのスラット構成要素間の固定機構は、さまざまな方法で隠すことができる。例えば、貫通穴３９５０および／または貫通穴とともに利用されるストリング３９５１が、ユーザーには見えないようにするよう、追加の層３９０７は、図２Ｅに示されるように、固定貫通穴３９５０または他の固定機構（図示せず）を越えて延びる１つ以上のフラップ３９７０を有してもよい。フラップ３９７０は、追加の層３９０７と同じまたは異なる材料であり得ることに留意されたい。例えば、上部フラップ３９７０が、貫通穴３９５０および／またはストリング３９５１を隠すために上に留まることができるよう、フラップ３９７０は、十分な剛性を備えた材料（ビニール、プラスチック、布など）にすることができる。スラット構成要素３９００を一緒に結合するために利用されるそのような固定機構は、例えば、シェードが窓の開口部内にあるときは見えない。
【００６１】
ヘッドレールユニット３９１０をシェード３９１８の上部に配置してもよい。ヘッドレールユニット３９１０は、上部スラット構成要素３９００に結合されてもよい。具体的には、上部スラット構成要素３９００は、ヘッドレールユニット３９１０の外部に取り付けられてもよい。例えば、上部スラット構成要素３９００は、これらに限定されないが、ストリング、ジッパー、ボタン、磁石、ベルクロ（登録商標）などの面ファスナー、クリップなどの１つ以上または組合せなどの様々な固定機構のいずれかを使用してヘッドレールユニット３９１０に固定され得る。加えて、ヘッドレールユニット３９１０は、以下により詳細に説明されるように、シェードを上下させるために利用されるローラースプリングシステム、カウンターバランスシステム、コードシステム、またはモーターに連結されてもよい。
【００６２】
さらに、図２Ｄは、利用されている複数のスラット構成要素３９００を示しているが、単一のスラット構成要素３９００を利用できることが明確に企図されている。例えば、単一のスラット構成要素３９００は、上述の方法でヘッドレールユニット３９１０に固定されてもよい。
【００６３】
加えて、貫通穴３９５０からストリング３９５１を除去することにより、および／またはヘッドレールユニット３９１０からスラット構成要素３９００を取り外すことにより、スラット構成要素３９００を互いに外すことができることが明確に企図されている。さらに、スラット構成要素３９００は、第２の層３９０２が窓開口部（Ｗ）から外側に面するように逆にすることができる。したがって、第１の層３９０１および第２の層３９０２は異なるパターンまたは材料であってもよく、したがってスラット構成要素３９００を単に逆にすることによってシェード３９１８の外観を変更または変化する能力をユーザーに提供し得る。
【００６４】
有利なことに、層３９０１および３９０２を洗浄または交換する必要がある場合、ユーザーは単にスラット構成要素３９００を互いに外して、スラット構成要素３９００を洗濯機に入れるか、またはスラット構成要素３９００を任意の方法で洗浄することができる。
【００６５】
一実施形態では、ローラースプリングシステム３９１９が、例えば、当業者に知られているように、最下部のスラット構成要素３９００を引くまたは押すユーザーに基づいて、スラット構成要素３９００を上下させることができるように、スラット構成要素３９００は、ヘッドレールユニット３９１０に接続されたローラースプリングシステム（図２Ｇに見られるように）によって制御されてもよい。具体的には、ユーザーは、最下部スラット構成要素３９００を押し上げてシェード３９１８を上げ、そして最下部スラット構成要素３９００を引き下げてシェード３９１８を下げることができる。あるいは、スラット構成要素３９００は、ユーザーがスラット構成要素３９００を押し上げまたは引き下げてシェード３９１８を上下させることができるカウンターバランスシステムおよび／または異なるタイプのシステム（図示せず）によって制御されてもよい。あるいは、スラット構成要素３９００は、シェードを上下させるために、上述のコードシステムまたは電気モーター、または当業者に知られている他のタイプのシステムによって制御されてもよい。
【００６６】
例えば、図２Ｆは、上げられた構成のシェード３９１８を示しており、ここでスラット構成要素３９００は、シェード３９１８の上部で「折り畳まれ」または「纏められ」て、窓開口部が露出している。図２Ｆに表されるように、最上部のスラット構成要素３９００をヘッドレールユニット３９１０に結合し、一方ですべてのスラット構成要素３９００を互いに結合してシェード３９１８を構成してもよい。
【００６７】
図２Ｇは、シェードが上げられた構成にあり、スラット構成要素３９００が折り畳まれているときのシェード３９１８の側面図を示す。具体的には、ストリングがローラースプリングシステム３９１９に引き込まれると、複数のスラット構成要素３９００が折り畳まれてシェード３９１８を持ち上げるように、ローラースプリングシステム３９１９のストリング３９０９は、最下部のスラット構成要素３９００に取り付けられてもよい。図２Ｇに示されるように、ローラースプリングシステム３９１９が視界から隠されるように、ローラースプリングシステム３９１９はまた、ヘッドレールユニット３９１０に結合される。図２Ｇは、最下部のスラット構成要素３９００のみに取り付けられたストリング３９０９を示しているが、ストリング３９０９が複数のスラット構成要素３９００に取り付けられ得ることが明確に企図される。
【００６８】
あるいは、ストリング３９０９なしでローラースプリングシステム３９１９を利用してもよく、ここで複数のスラット構成要素３９００は、当業者に知られているように、シェード３９１８を上昇させる場合はローラーシェード（図示せず）上に転がり、シェード３９１８を下降させる場合はローラーシェードからロールオフする。
【００６９】
加えて、図２Ｈは、スラット構成要素３９００が折り畳まれていない、下げられた構成のシェード３９１８を示す。さらに図２Ｉは、下げられた構成のシェード３９１８の背面図を示しており、ここでスラット構成要素３９００は折り畳まれておらず、窓の開口部全体を覆っていてもよい。図２Ｉに見えるように、スラット構成要素３９００は、ヘッドレールユニット３９１０よりも広くてもよい。加えて、上述のように、図２Ｉに見える第２の層は、図２Ｈに見える第１の層とは異なる外観／パターンを有し得る。
【００７０】
一実施形態において、図２Ｊに示されるように、スラット構成要素３９００は、隣接するまたは異なるスラット構成要素３９００に結合されてもよい。具体的には、スラット構成要素３９００の端部を、隣接するまたは異なるスラット構成要素３９００に連結して、シェードの全体幅を変更することができる。例えば、隣接するまたは異なるスラット構成要素３９００は、ストリング、ジッパー、ボタン、磁石、ベルクロ（登録商標）などの面ファスナー、クリップなどの１つ以上または組み合わせを利用して結合されてもよい。そのため、シェード全体の前面が表示されるか、単一のシェードのように見え得る。
【００７１】
一実施形態では、図２Ｋに示されるように、スラット構成要素３９００内のストリップ３９０５は、ストリング、ジッパー、ボタン、磁石、ベルクロ（登録商標）などの面ファスナー、クリップなどの１つ以上または組み合わせを利用して、隣接するまたは異なるスラット構成要素３９００内のストリップ３９０５に結合され得る。そのため、シェード全体の前面が表示されるか、単一のシェードのように見え得る。
【００７２】
一実施形態では、図２Ｌに示されるように、固定機構３９６０は、第１の層３９０１と３９０２の結合によって作成された開口部に平行な位置に配置されてもよい。スラット構成要素３９００は、固定機構３９６０を利用してヘッドレールユニット３９１０に結合されてもよく、余剰材料３９０６は、上記と同様の方法でスラット構成要素３９００の内部に固定されてもよい。しかしながら、余剰材料は水平に延びているため、スラット構成要素３９００がヘッドレールユニット３９１０に取り付けられるとき、シェード３９１８の全長は、余剰材料を利用して調整され得る。加えて、図２Ｌのスラット構成要素３９００は、図２Ｍに示されるように、また垂直に延びる貫通穴３９５０および／またはストリング３９５１を隠す垂直に延びるフラップ３９７０を備えた追加の層３９０７を含むことができる。
【００７３】
具体的には、図２Ｍに示すように、図２Ｌに示す複数のスラット構成要素３９００は、固定機構３９６０を利用して、バーであり得るヘッドレールユニット３９１０に結合され、ここでシェード３９１８の幅は、図２Ｌに示される各個々のスラット構成要素３９００の幅およびヘッドレールユニット３９１０に取り付けられたスラット構成要素３９００の数に基づいている。加えて、複数のスラット構成要素３９００は、上述のように貫通穴３９５０およびストリング３９５１を利用して互いに結合されてもよい。図２Ｍには示されていないが、貫通穴３９５０およびストリング３９５１は、図２Ｌを参照して上述したように、スラット構成要素３９００の外部に結合されたフラップ３９７０を備えた追加層３９０７により視界から隠れるようにすることができる。シェード３９１８の長さは、余剰材料３９０６と、一緒に結合されるスラット構成要素３９００の２つの層３９０１および３９０２によって作られる開口部にユーザーが挿入することを決定した余剰材料３９０６がいかほどかに基づく。図２Ｍに示すように、各スラット構成要素３９００は、ユーザーの選択に基づいて同じ長さでも異なる長さでもよい。例えば、ユーザーは、窓のエアコンまたは他の物体をシェード３９１８が囲むように、特定のスラット構成要素３９００の長さを変更してもよい。あるいはシェードが、壁に取り付けられたまたは壁に置かれた本棚の本や他のアイテムを囲むように、シェード３９１８は壁に結合することができ、そしてユーザーは特定のスラット構成要素３９００の長さを変更することができる。
【００７４】
図３Ａは、本明細書に記載の１つ以上の実施形態のスラット構成要素の斜視図である。スラット構成要素４０００は、図２Ａ−２Ｍに関して説明した２つの層の代わりに単一の層であってもよい。スラット構成要素４０００は、上端部および底端部に複数の貫通孔３９５０を含み得、これは、上記と同様の方法で複数のスラット構成要素４０００を一緒に連結するために利用され得る。さらに、スラット構成要素４０００は、スラット構成要素４０００を一緒に結合するために利用される固定機構を視界から隠すためのフラップ３９７０を含む追加の層３９０７を含むことができる。フラップ３９７０は、追加の層３９０７と同じまたは異なる材料であってもよい。例えば、フラップはビニール、プラスチック、布などであり得る。
【００７５】
図３Ｂは、単一の層であるスラット構成要素４０００の背面図である。図３Ｂに示されるように、複数の貫通穴３９５０は、スラット構成要素４０００の上部および底部に沿って延びている。加えて、スラット構成要素４０００の背面は、スラット構成要素４０００の上部から底部まで垂直に走る単一の留め金４００４を含むことができる。単一の留め金４００４は、例えば、単一のストリップ４００５をスラット構成要素４０００の背面に保持して、スラット構成要素４０００に剛性を提供することができる。すなわち、単一のストリップ４００５は、留め金４００４上に載るように配置されてもよい。単一のストリップ４００５および単一の留め具４００４を参照しているが、任意の数のストリップ４００５および／または留め金４００４が利用され得ることが明確に企図される。留め金４００４が不要または不使用とするため、例えば、単一のストリップ４００５は、固定機構（例えば、面ファスナー）を利用してスラット構成要素４０００の背面に取り付けられてもよい。
【００７６】
さらに、余剰材料４００６は、スラット構成要素４０００の裏側および／または単一のストリップ４００５に取り付けられてもよい。例えば、図３Ｂに示されるように、単一のストリップ４００５は、１つ以上のスリット４００７を含み得る。余剰材料４００６を連続したスリット４００７に出入りさせて、余剰材料４００６を単一のストリップ４００５に取り付けて、スラット構成要素４０００の全体の幅を調整してもよい。あるいは、余剰材料４００６は、限定されるものではないが、ストリング、ジッパー、ボタン、磁石、ベルクロ（登録商標）などの面ファスナー、クリップなどの１つ以上またはそれらの組み合わせなどの固定機構を利用して、スラット構成要素４０００の裏側および／またはストリップ４００５に取り付けられてもよい。
【００７７】
図３Ｃは、図３Ａおよび３Ｂに示されるスラット構成要素４０００を含むシェード４０１８の詳細図である。最上部のスラット構成要素４０００は、限定されるものではないが、ストリング、ジッパー、ボタン、磁石、ベルクロ（登録商標）などの面ファスナー、クリップなどの１つ以上またはそれらの組み合わせなどの固定機構を利用してヘッドレールユニット３９１０に取り付けることができる。スラット構成要素４０００は、シェード４０１８が窓開口部（Ｗ）を覆うように互いに結合されてもよい。シェード４０１８が窓開口部Ｗに適合するよう、例えば、図３Ｂを参照して上述したように、ユーザーは、余剰材料４００６を利用してスラット構成要素４０００の幅を変更することができる。加えて、シェード４０１８は、上述のように、また当業者に知られているように、様々な方法のいずれかで上下させることができる。さらに、図３Ｃは、貫通穴３９５０およびストリング３９５１を利用して互いに結合されている複数のスラット構成要素４０００を示しているが、スラット構成要素４０００は、限定されるものではないが、ストリング、ジッパー、ボタン、磁石、ベルクロ（登録商標）などの面ファスナー、クリップなどの１つ以上または組合せなどの様々な異なる固定機構のいずれかを利用して一緒に結合できることが明確に企図されている。
【００７８】
さらに、図３Ｃのスラット構成要素４０００は、フラップ３９７０を備えた追加の層３９０７を含むことができる。例えば、図３Ｃを参照すると、シェード４０１８の上部から３番目のスラット構成要素４０００は、貫通穴３９５０およびストリング３９５１を視界から隠すフラップ３９７０を備えた追加の層３９０７を含む。図３Ｃは、フラップ３９７０を備えた追加の層３９０７を含む第３のスラット構成要素４０００を示しているが、任意の数のスラット構成要素４０００が、フラップ３９７０を備えた追加の層３９０７を含み得ることが明確に企図される。
【００７９】
一実施形態において、および図４に示されるような正面図において、シェード４１００は、水平に走るヘッドレールユニット４１０５を含み得る。水平にも移動する上昇システム４１１０はヘッドレールユニット４１０５に取り付けることができる。例えば、上昇システムは、当業者に知られているおよび／または上述したようなシェード４１００を上昇および下降させるために利用される、ローラースプリングシステム、カウンターバランスシステム、コードシステム、モーター、または他の上昇／下降機構を含み得るが、これらに限定されない。ヘッドレールユニット４１０５および上昇システム４１１０は、窓（Ｗ）の上部に取り付けられても、または窓（Ｗ）の前部に取り付けられてもよい。
【００８０】
垂直に移動し得る１つまたは複数のシース４１２０の上部は、ヘッドレールユニット４１０５に取り付けられてもよい。図４は、垂直に移動し、ヘッドレールユニット４１０５に取り付けられた３つのシース４１２０を示すが、シェード４１００は、ヘッドレールユニット４１０５に取り付けられるより少ないまたはより多いシース４１２０を含み得ることが明確に企図される。１つまたは複数のシース４１２０は、ストリング、ジッパー、ボタン、磁石、ベルクロ（登録商標）などの面ファスナー、クリップなどの１つまたは複数または組み合わせを利用して、ヘッドレールユニット４１０５に取り付けることができる。
【００８１】
１つ以上のシース４１２０は、シース４１２０の外部の１つ以上の点に配置される１つ以上の外部固定機構４１１５を含んでもよい。１つ以上の外部固定機構４１１５は、ストリング、ジッパー、ボタン、磁石、ベルクロ（登録商標）などの面ファスナー、クリップなどの１つ以上またはそれらの組み合わせを含むことができる。さらに、１つ以上の外部固定機構のそれぞれは、スロット開口部４１３８を含み得る。加えて、１つ以上の外部固定機構は、当業者に知られている様々な異なる方法で１つ以上のシースに取り付けたり取り外したりすることができる。例えば、外部固定機構４１１５がクリップである場合、クリップはシース４１２０の外部に結び付けられ、縫い付けられ、またはフックとループで固定されてもよい。
【００８２】
加えて、図５に示されるような１つ以上のスラット構成要素４１３０は、シース４１２０の外部固定機構４１１５とスラット構成要素４１３０および／またはスラット構成要素４１３０内に配置された１つ以上のインサート４１３２との係合を介して、シェード４１００に固定することができる。例えば、スラット構成要素４１３０内の１つ以上のインサート４１３２が見え、そして外部固定機構４１１５が１つ以上のインサート４１３２に取り付けられ得るように、外部固定機構４１１５は、スラット構成要素の上部、スラット構成要素の底部、スラット構成要素の中央部に取り付けることができ、および／または、スラット構成要素４１３０は、図５に示されるようにノッチ４１３９を有してもよい。例えば、１つ以上の外部固定機構４１１５は、ノッチ内に露出している１つ以上のインサート４１３２の一部にクリップ留めするクリップであってもよい。あるいは、外部固定機構４１１５は、スラット構成要素４１３０の上部、下部、および／または中間部に直接取り付けられてもよい。
【００８３】
加えて、バレンスまたは追加のシース４１７０をヘッドレールユニット４１０５および／または上昇システム４１１０に、ストリング、ジッパー、ボタン、磁石、ベルクロ（登録商標）などの面ファスナー、クリップなどの１つまたは複数の組み合わせを利用して取り付けて、ユーザーの視界からローラーを隠すことができる（図９に示すように）。さらに、第１のスラット構成要素４１３０の下部が、シース４１２０に固定され、第１のスラット構成要素の真下に位置する第２のスラット構成要素に関連する固定機構を隠すまたは覆うように、スラット構成要素４１３０の高さおよび外部固定機構４１１５の位置は構成されてもよい。図４は、シース４１２０に取り付けられている３つのスラット構成要素４１３０を示しているが、任意の数のスラット構成要素がシース４１２０に取り付けられ得ることが明確に企図される。
【００８４】
図５は、第１の層４１３３と第２の層４１３４とを含むスラット構成要素４１３０を示す。図５に示すように、第１の層４１３３と第２の層４１３４との間に開口部が作成されるように、第１の層４１３３と第２の層４１３４は、第１の層４１３３と第２の層４１３４が会う上端と下端で互いに結合されてもよい。加えて、第１の層４１３３および第２の層４１３４は、限定されるものではないが、ストリング、ジッパー、ボタン、磁石、ベルクロ（登録商標）などの面ファスナー、クリップなどの１つまたは複数の組み合わせを利用することなどの様々な異なる方法で互いに結合されてもよい。加えて、スラット構成要素４１３０は、１つ以上のスロット開口部４１３８およびノッチ４１３９を含み得る。
【００８５】
１つ以上のインサート４１３２が、スラット構成要素４１３０の内部に挿入されそして固定され得るように、１つ以上のインサート４１３２は、スラット構成要素４１３０の高さに実質的に類似した高さを有し得る。あるいは、１つ以上のインサート４１３２は、調節可能な高さを有してもよい。１つ以上のインサート４１３２は、スラット構成要素４１３０と高さが実質的に類似しているため、１つ以上のインサート４１３２は、スラット構成要素４１３０の内部開口部の内側にしっかりと適合して、スラット構成要素４１３０に剛性を提供することができる。１つ以上のインサート４１３２が、スラット構成要素４１３０の中央部分にのみ存在するように、１つ以上のインサート４１３０の全幅は、例えば、スラット構成要素４１３０の全幅より小さくてもよい。あるいは、１つ以上のインサート４１３２の全体の幅は、スラット構成要素４１３０の幅とサイズが実質的に類似していてもよい。あるいは、１つ以上のインサート４１３２は、調整可能な幅を有してもよい。
【００８６】
１つ以上のインサート４１３２は、様々な異なる形状およびサイズのいずれかであり得る。例えば、スラット構成要素４１３０が折り重ねられたときにシェード４１００が丸みを帯びた端部を有するように、１つ以上のインサート４１３２は丸みを帯びた端部を有してもよい。丸みを帯びた端部を備えると、シェード４１００は丸みを帯びた窓のシェード／ブラインドとして現れる。
【００８７】
スラット構成要素４１３０の第１および第２の層は、限定されるものではないが、ビニール、プラスチック、竹、布などの様々な異なる材料のいずれかであり得る。さらに、スラット構成要素４１３０の第１および第２の層は、異なる設計、パターンなどであってもよい。例えば、ユーザーに面しているスラット構成要素４１３０の表層は、第１のパターン／材料であり得、一方、ユーザーに面していないスラット構成要素４１３０の裏層は、第２のパターン／材料であり得る。
【００８８】
加えて、スラット構成要素４１３０は、ヘッドレールユニット４１０５、ローラー４１１０、および／または窓開口部（Ｗ）の幅を超えて延在し得る余剰材料４１４０を含み得る。第１の層４１３３および第２の層４１３４の余剰材料４１４０は、図２Ｃを参照して上述したように、スラット構成要素４１３０の内部開口部に固定されてもよい。有利には、スラット構成要素４１３０の幅は、（例えば、ヘッドレールユニット４１０５、ローラー４１１０、および／または窓開口部（Ｗ）の幅に一致させるため）ユーザーが望む任意のサイズに変更することができる。加えて、ユーザーは、例えば、任意の数のスラット構成要素４１３０を取り外し、それらのスラット構成要素を洗浄または交換させることができる。加えてまたは代わりに、スラット構成要素４１３０は、異なるパターン（例えば、第２の層４１３４）を見るために向きを変えることができる。加えてまたは代わりに、スラット構成要素４１３０は、まったく新しいスラット構成要素４１３０と交換することもできる。
【００８９】
上昇システム４１１０は、当業者に知られているおよび／または上記のように、シェード４１００を上昇および下降させるために利用される。上昇システム４１１０は、１つまたは複数のプルストリング４１２５を含むことができ、ここで各プルストリング４１２５は、１つまたは複数のシース４１２０の異なるシース４１２０に関連付けられている。具体的には、各プルストリング４１２５の第１の端部を上昇システム４１１０に固定することができる。次いで、プルストリング４１２５は、特定のシース４１２０に関連付けられた各外部固定機構４１１５の１つまたは複数のスロット開口４１３８を介して送られてもよいが、少なくとも特定のシース４１２０に関連付けられた最下部の外部固定機構４１１５のスロット開口４１３８に送られ得る。プルストリング４１２５の第２の端部は、プルストリング４１２５が最下部の外部固定機構のスロット開口部４１３８を通過する位置に結び目４１５０を形成するように結び付けられている。上昇システム４１１０が作動してシェード４１００を上昇させると、結び目４１５０は最下部の最も外側の固定機構４１１５のスロット開口部４１３８に引っかかり、シェード４１００を上昇させるように、プルストリング４１２５の結び目４１５０は、最下部の外部固定機構４１１５のスロット開口部４１３８よりもサイズが大きい。
【００９０】
具体的には、シェード４１００が上昇システム４１１０を使用して上昇されるように作動されると、プルストリング４１２５は上昇システム４１１０に向かって上方に上昇し、そしてプルストリング４１２５の結び目４１５０は、外部固定機構のスロット開口部４１３８の下側と接触し、したがって、シース４１２０およびスラット構成要素４１３０を上昇させる。
【００９１】
一実施形態では、外部固定機構４１１５がスラット構成要素４１３０の底部に取り付けられている場合、プルストリング４１２５は、上昇システム４１１０に向かって上向きに上昇する。したがって、プルストリング４１２５の結び目４１５０は、外部固定機構４１１５のスロット開口部４１３８の下側と接触し、したがって、ベネチアンブラインド型の方式でシース４１２０を上昇させ、またスラット構成要素を底部から上昇させる。
【００９２】
一実施形態では、外部固定機構４１１５が最後のスラット構成要素４１３０の底部に取り付けられている場合、プルストリングは上向きに、上昇システム４１１０に向かって上昇する。このように、プルストリング４１２５の結び目４１５０は、外部固定機構４１１５のスロット開口部４１３８の下側と接触し、したがって、スラット４１３０をベネチアンブラインド型の方式で底部から順に上昇させる。
【００９３】
図６は、バレンスのない複数のスラット構成要素４１３０を備えた下げられた構成のシェード４１００の正面図を示し、一方で図７は、複数のスラット構成要素４１３０およびバレンス４１７０を有する下げられた構成のシェード４１００の背面図を示す。図６に示されるように、スラット構成要素４１３０の下部は、真下に位置するスラット構成要素４１３０を固定するために利用される固定機構（単数または複数）を覆っており／隠している。加えて、図７に示されているように、シース４１２０は、例えば、異なるサイズの窓開口部（Ｗ）の垂直高さに一致するようシースの垂直長さを変更できるように、シースノット４１８０として結束または結び付けられてもよい。
【００９４】
加えて、図８は、部分的に上げられた構成のシェード４１００の正面図を示し、一方で図９は、完全に上げられた構成のシェード４１００の正面図を示す。さらに図１０は、完全に上げられた構成のシェード４１００の背面図を示す。図８、９および１０にみられるように、スラット構成要素４１３０は均一な方法で上昇し、ここで例えば、スラット構成要素４１３０は、上げられた構成において最も低いスラット構成要素４１３０が後部にあり、最も高いスラット構成要素４１３０が前部にあるように次々に配置される。
【００９５】
上記から明らかなように、私の垂直ブラインドアセンブリの実施形態はすべて非常に汎用性があり、多くの窓構成に適応できる。加えて、本明細書に記載された異なる実施形態の異なる特徴は、本明細書に記載された他の実施形態のそれぞれを利用できることが明確に企図される。例えば、クリップ２４０３は、様々な代替実施形態のすべての実施形態で利用することができる。同様に、本出願の特定の図に関して説明されている他の構成要素は、本願で説明されているすべての図および実施形態で利用することができる。ブラインドアセンブリを含むさまざまなモジュールは、個別に製造および販売し、ほとんどの窓の寸法と形状に合わせて接続できる。また、アセンブリは個別の部品／構成要素として販売できるため、個々の構成要素を洗浄し、移動し、梱包し、そして最小限のスペースで簡単に出荷できるよう保管することなどを可能にする。さらに、特別な工具を必要とせずに、平均的な住宅所有者が簡単に取り付けることができる。加えて、１つまたは複数のスラットを伸縮させるために、上下させるフットレールが参照されているが、フットレールは静止したままであり、ハウジングユニットを下げて（スラットを引っ込める）、そして上げて（スラットを伸ばす）スラットを操作することが明確に企図される。
【００９６】
したがって、前述の説明から明らかになったもののうち上記の目的が効率的に達成されることが分かるであろう。また、本発明の範囲から逸脱することなく、上記の構成に特定の変更を加えることができるため、上記の説明に含まれるまたは添付の図面に示されるすべての事項は、限定的な意味ではなく、例示として解釈されるものとする。
【００９７】
また、以下の特許請求の範囲は、本明細書に記載の本発明の一般的および特定の特徴のすべてを網羅することを意図していることも理解されたい。
【図１Ａ】
2020534454.tif 000003
【図１Ｂ】
2020534454.tif 000004
【図１Ｃ】
2020534454.tif 000005
【図１Ｄ】
2020534454.tif 000006
【図１Ｅ】
2020534454.tif 000007
【図１Ｆ】
2020534454.tif 000008
【図１Ｇ】
2020534454.tif 000009
【図１Ｈ】
2020534454.tif 000010
【図１Ｉ】
2020534454.tif 000011
【図１Ｊ】
2020534454.tif 000012
【図１Ｋ】
2020534454.tif 000013
【図１Ｌ】
2020534454.tif 000014
【図２Ａ】
2020534454.tif 000015
【図２Ｂ】
2020534454.tif 000016
【図２Ｃ】
2020534454.tif 000017
【図２Ｄ】
2020534454.tif 000018
【図２Ｅ】
2020534454.tif 000019
【図２Ｆ】
2020534454.tif 000020
【図２Ｇ】
2020534454.tif 000021
【図２Ｈ】
2020534454.tif 000022
【図２Ｉ】
2020534454.tif 000023
【図２Ｊ】
2020534454.tif 000024
【図２Ｋ】
2020534454.tif 000025
【図２Ｌ】
2020534454.tif 000026
【図２Ｍ】
2020534454.tif 000027
【図３Ａ】
2020534454.tif 000028
【図３Ｂ】
2020534454.tif 000029
【図３Ｃ】
2020534454.tif 000030
【図４】
2020534454.tif 000031
【図５】
2020534454.tif 000032
【図６】
2020534454.tif 000033
【図７】
2020534454.tif 000034
【図８】
2020534454.tif 000035
【図９】
2020534454.tif 000036
【図１０】
2020534454.tif 000037
【国際調査報告】
2020534454.tif 000038
2020534454.tif 000039
2020534454.tif 000040